(57)【要約】【課題】放送側が視聴してほしい環境となるような視聴環境の制御を行うようにする。【解決手段】番組情報取得部１４により、放送信号から番組情報（ＥＰＧ）が取得され、ＣＰＵ１８により、番組情報（ＥＰＧ）から得られるジャンル情報に応じた光量データがジャンル情報別光量データベース１６から読み出され、受光部１５による検出データが光量データに近づくように室内の照明３０の明るさがホームネットワーク２０を介して自動でコントロールされるようにした。これにより、たとえば映画を視聴しているときに、室内の照明３０が自動的に暗くされることで、臨場感に満ちた視聴が可能となる。【選択図】  図１
2006331735.tif 000002
【特許請求の範囲】
【請求項１】
放送信号から番組情報を取得し、
番組を視聴する周囲の明るさを検出し、
前記明るさの検出によって得られる検出データが前記番組情報から得られるジャンル情報に応じた光量データに近づくように室内の照明の明るさを制御する
ことを特徴とする視聴環境制御方法。
【請求項２】
ネット上の番組情報データベースから録画予約に関わる番組情報を取得し、
番組を視聴する周囲の明るさを検出し、
前記明るさの検出によって得られる検出データが前記番組情報から得られるジャンル情報に応じた光量データに近づくように室内の照明の明るさを制御する
ことを特徴とする視聴環境制御方法。
【請求項３】
録画手段に記録されている情報から番組情報を取得し、
番組を視聴する周囲の明るさを検出し、
前記明るさの検出によって得られる検出データが前記番組情報から得られるジャンル情報に応じた光量データに近づくように室内の照明の明るさを制御する
ことを特徴とする視聴環境制御方法。
【請求項４】
ネット上の番組情報データベースからの録画予約に関わる番組情報及び／又は録画手段に記録されている情報からの番組情報を取得することを特徴とする請求項１に記載の視聴環境制御方法。
【請求項５】
前記光量データは、前記番組情報あるいは装置本体の内部時計から得られる、視聴している番組の時間帯に応じたデータであることを特徴とする請求項１〜４のいずれかに記載の視聴環境制御方法。
【請求項６】
番組のジャンル毎に最適な視聴環境とする光量データが登録されているジャンル情報別光量データベースと、
放送信号から番組情報を取得する番組情報取得手段と、
番組を視聴する周囲の明るさを検出する明るさ検出手段と、
前記番組情報から得られるジャンル情報に応じた光量データを前記ジャンル情報別光量データベースから読み出し、前記明るさ検出手段による検出データが前記光量データに近づくように室内の照明の明るさを制御する制御手段とを備える
ことを特徴とする視聴環境制御装置。
【請求項７】
番組のジャンル毎に最適な視聴環境とする光量データが登録されているジャンル情報別光量データベースと、
ネット上の番組情報データベースから録画予約に関わる番組情報を取得する番組情報取得手段と、
番組を視聴する周囲の明るさを検出する明るさ検出手段と、
前記番組情報から得られるジャンル情報に応じた光量データを前記ジャンル情報別光量データベースから読み出し、前記明るさ検出手段による検出データが前記光量データに近づくように室内の照明の明るさを制御する制御手段とを備える
ことを特徴とする視聴環境制御装置。
【請求項８】
番組のジャンル毎に最適な視聴環境とする光量データが登録されているジャンル情報別光量データベースと、
録画手段に記録されている情報から番組情報を取得する番組情報取得手段と、
番組を視聴する周囲の明るさを検出する明るさ検出手段と、
前記番組情報から得られるジャンル情報に応じた光量データを前記ジャンル情報別光量データベースから読み出し、前記明るさ検出手段による検出データが前記光量データに近づくように室内の照明の明るさを制御する制御手段とを備える
ことを特徴とする視聴環境制御装置。
【請求項９】
前記番組情報取得手段は、ネット上の番組情報データベースからの録画予約に関わる番組情報及び／又は録画手段に記録されている情報からの番組情報を取得することを特徴とする請求項６に記載の視聴環境制御装置。
【請求項１０】
前記光量データは、前記番組情報あるいは装置本体の内部時計から得られる、視聴している番組の時間帯に応じたデータであることを特徴とする請求項６〜９のいずれかに記載の視聴環境制御装置。
【請求項１１】
請求項６〜１０のいずれかに記載の視聴環境制御装置を備えたことを特徴とする映像表示装置。
【発明の詳細な説明】
【技術分野】
【０００１】
本発明は、映像及び音声の視聴環境である室内の明るさを、放送側が視聴してほしい環境となるように自動調整する視聴環境制御方法、視聴環境制御装置及び映像表示装置に関する。
【背景技術】
【０００２】
従来より、液晶パネル等によって映像を表示するテレビ受信機等の映像表示装置にあっては、視聴環境である室内の明るさによって視認性が左右される。そのため、映像表示装置に設けられている映像調整ボタンやリモコンに設けられている映像調整ボタンを手動で調整することにより、映像の明るさが調整されるようになっている。
【０００３】
また、近年の映像表示装置にあっては、視聴環境に合わせて映画やスポーツ番組等のジャンル毎に映像が鮮明に、あるいは好みの画質となるように調整できる機能も搭載されている。
【０００４】
さらに、近年の映像表示装置にあっては、映像表示装置に設けられている映像調整ボタンやリモコンに設けられている映像調整ボタンを手動で調整することなく、周囲の明るさを検出する明るさセンサーによる検出結果に応じて映像の明るさ等が自動調整される明るさ自動調整機能も搭載されている。
【０００５】
このような明るさ自動調整機能が搭載されたものとして、特許文献１では、液晶ディスプレイの周囲の明るさを検知するセンサーあるいは手動操作による制御信号の入力手段と、該入力手段による制御信号に基づき液晶ディスプレイへの印加映像信号の振幅、動作基準レベルの双方あるいは片方のみを自動的に制御することにより、液晶ディスプレイの使用環境の明るさに応じて液晶表示画面の明るさ、コントラストを制御し明るい環境下での視認性を向上させるようにした液晶ディスプレイの表示制御装置を提案している。
【特許文献１】特開平０６−０８３２８７号公報
【発明の開示】
【発明が解決しようとする課題】
【０００６】
ところで、上述した特許文献１では、液晶ディスプレイの周囲の明るさを検知するセンサーの検出結果に応じて液晶表示画面の明るさ、コントラストを制御し明るい環境下での視認性を向上させるようにしているが、センサーの検出結果に応じた室内の明るさによる視聴環境を制御することができない。
【０００７】
このように、室内の明るさによる視聴環境を制御することができない場合、たとえば映画を視聴しているときに室内を暗くすることで、臨場感を出すといった放送側が視聴してほしい環境となるような視聴環境の制御を行うことができないという問題があった。
【０００８】
本発明は、このような状況に鑑みてなされたものであり、上記問題点を解決することができる視聴環境制御方法、視聴環境制御装置及び映像表示装置を提供することを目的とする。
【課題を解決するための手段】
【０００９】
本発明の視聴環境制御方法は、放送信号から番組情報を取得し、番組を視聴する周囲の明るさを検出し、前記明るさの検出によって得られる検出データが前記番組情報から得られるジャンル情報に応じた光量データに近づくように室内の照明の明るさを制御することを特徴とする。
このような構成では、放送信号の番組情報から得られるジャンル情報に応じた光量データに、周囲の明るさの検出によって得られる検出データが近づくように、室内の照明による明るさが自動的に制御される。
本発明の視聴環境制御方法は、ネット上の番組情報データベースから録画予約に関わる番組情報を取得し、番組を視聴する周囲の明るさを検出し、前記明るさの検出によって得られる検出データが前記番組情報から得られるジャンル情報に応じた光量データに近づくように室内の照明の明るさを制御することを特徴とする。
このような構成では、ネット上の番組情報データベースの録画予約に関わる番組情報から得られるジャンル情報に応じた光量データに、周囲の明るさの検出によって得られる検出データが近づくように、室内の照明による明るさが自動的に制御される。
本発明の視聴環境制御方法は、録画手段に記録されている情報から番組情報を取得し、番組を視聴する周囲の明るさを検出し、前記明るさの検出によって得られる検出データが前記番組情報から得られるジャンル情報に応じた光量データに近づくように室内の照明の明るさを制御することを特徴とする。
このような構成では、録画手段に記録されている情報の番組情報から得られるジャンル情報に応じた光量データに、周囲の明るさの検出によって得られる検出データが近づくように、室内の照明による明るさが自動的に制御される。
また、ネット上の番組情報データベースからの録画予約に関わる番組情報及び／又は録画手段に記録されている情報からの番組情報を取得するようにすることができる。
このような構成では、放送信号の番組情報から得られるジャンル情報、ネット上の番組情報データベースの録画予約に関わる番組情報から得られるジャンル情報、録画手段に記録されている情報の番組情報のいずれかに応じた光量データに、周囲の明るさの検出によって得られる検出データが近づくように、室内の照明による明るさが自動的に制御される。
また、前記光量データは、前記番組情報あるいは装置本体の内部時計から得られる、視聴している番組の時間帯に応じたデータであるようにすることができる。
このような構成では、視聴している番組のジャンルと時間帯に応じた光量データを用いることで、室外の明るさ等による影響を加味し、放送側が視聴してほしい環境となるような視聴環境の制御が可能となる。
本発明の視聴環境制御装置は、番組のジャンル毎に最適な視聴環境とする光量データが登録されているジャンル情報別光量データベースと、放送信号から番組情報を取得する番組情報取得手段と、番組を視聴する周囲の明るさを検出する明るさ検出手段と、前記番組情報から得られるジャンル情報に応じた光量データを前記ジャンル情報別光量データベースから読み出し、前記明るさ検出手段による検出データが前記光量データに近づくように室内の照明の明るさを制御する制御手段とを備えることを特徴とする。
このような構成では、番組情報取得手段により、放送信号から番組情報が取得され、制御手段により、番組情報から得られるジャンル情報に応じた光量データがジャンル情報別光量データベースから読み出され、明るさ検出手段による検出データが光量データに近づくように室内の照明の明るさが制御される。
本発明の視聴環境制御装置は、番組のジャンル毎に最適な視聴環境とする光量データが登録されているジャンル情報別光量データベースと、ネット上の番組情報データベースから録画予約に関わる番組情報を取得する番組情報取得手段と、番組を視聴する周囲の明るさを検出する明るさ検出手段と、前記番組情報から得られるジャンル情報に応じた光量データを前記ジャンル情報別光量データベースから読み出し、前記明るさ検出手段による検出データが前記光量データに近づくように室内の照明の明るさを制御する制御手段とを備えることを特徴とする。
このような構成では、番組情報取得手段により、ネット上の番組情報データベースから録画予約に関わる番組情報が取得され、制御手段により、番組情報から得られるジャンル情報に応じた光量データがジャンル情報別光量データベースから読み出され、明るさ検出手段による検出データが光量データに近づくように室内の照明の明るさが制御される。
本発明の視聴環境制御装置は、番組のジャンル毎に最適な視聴環境とする光量データが登録されているジャンル情報別光量データベースと、録画手段に記録されている情報から番組情報を取得する番組情報取得手段と、番組を視聴する周囲の明るさを検出する明るさ検出手段と、前記番組情報から得られるジャンル情報に応じた光量データを前記ジャンル情報別光量データベースから読み出し、前記明るさ検出手段による検出データが前記光量データに近づくように室内の照明の明るさを制御する制御手段とを備えることを特徴とする。
このような構成では、番組情報取得手段により、録画手段に記録されている情報から番組情報が取得され、制御手段により、番組情報から得られるジャンル情報に応じた光量データがジャンル情報別光量データベースから読み出され、明るさ検出手段による検出データが光量データに近づくように室内の照明の明るさが制御される。
また、前記番組情報取得手段は、ネット上の番組情報データベースからの録画予約に関わる番組情報及び／又は録画手段に記録されている情報からの番組情報を取得するようにすることができる。
このような構成では、放送信号の番組情報から得られるジャンル情報、ネット上の番組情報データベースの録画予約に関わる番組情報から得られるジャンル情報、録画手段に記録されている情報の番組情報のいずれかに応じた光量データに、周囲の明るさの検出によって得られる検出データが近づくように、室内の照明による明るさが自動的に制御される。
また、前記光量データは、前記番組情報あるいは装置本体の内部時計から得られる、視聴している番組の時間帯に応じたデータであるようにすることができる。
このような構成では、視聴している番組のジャンルと時間帯に応じた光量データを用いることで、室外の明るさ等による影響を加味し、放送側が視聴してほしい環境となるような視聴環境の制御が可能となる。
本発明の映像表示装置は、上記のいずれかの視聴環境制御装置を備えたことを特徴とする。
このような構成では、視聴環境制御装置をたとえばテレビ受信機に搭載することにより、番組のジャンル毎の視聴環境が最適化される。
【発明の効果】
【００１０】
本発明の視聴環境制御方法、視聴環境制御装置及び映像表示装置によれば、たとえば放送信号の番組情報から得られるジャンル情報に応じた光量データに、周囲の明るさの検出によって得られる検出データが近づくように、室内の照明による明るさが自動的に制御されるので、番組のジャンル毎に、放送側が視聴してほしい環境となるような視聴環境の制御を行うことができる。
【発明を実施するための最良の形態】
【００１１】
本実施形態では、たとえば放送信号の番組情報から得られるジャンル情報に応じた光量データに、周囲の明るさの検出によって得られる検出データが近づくように、室内の照明による明るさが自動的に制御されるようにし、番組のジャンル毎に、放送側が視聴してほしい環境となるような視聴環境の制御が行えるようにした。
【実施例】
【００１２】
以下、本発明の実施の形態について説明する。
【００１３】
（実施形態１） 
図１は、本発明の視聴環境制御装置を映像表示装置であるテレビ受信機に適用した場合の実施形態１を示すブロック図、図２及び図３は、図１のテレビ受信機における視聴環境制御方法を説明するための図である。
【００１４】
図１に示すテレビ受信機１０Ａは、番組情報に含まれるジャンル情報を取り出し、後述のジャンル情報別光量データベース１６の番組のジャンル毎に最適な視聴環境とする光量データに基づき、ホームネットワーク２０を介して照明３０の明るさを自動でコントロールする。
【００１５】
テレビ受信機１０Ａは、アンテナＩＦ１１、映像処理部１２、表示部１３、番組情報取得部１４、受光部１５、ジャンル情報別光量データベース１６、ＯＳＤコントローラ１７、ＣＰＵ１８、ネットワークＩＦ１９を備えている。ここで、番組情報取得部１４は、番組情報取得手段である。また、受光部１５は、明るさ検出手段である。また、ＣＰＵ１８は、制御手段である。さらに、これら番組情報取得手段、明るさ検出手段及び制御手段により視聴環境制御装置が構成されている。
【００１６】
アンテナＩＦ１１は、少なくともユーザによる選局指示に従って放送信号を選局する図示しないチューナを有している。ここで、放送信号には、少なくとも番組情報（ＥＰＧ）が重畳されているものとする。
【００１７】
映像処理部１２は、アンテナＩＦ１１のチューナによって選局された放送信号に対して所定の映像処理を施す。表示部１３は、映像処理部１２によって処理された映像やＯＳＤコントローラ１７による後述のメッセージ等を表示する。
【００１８】
番組情報取得部１４は、アンテナＩＦ１１のチューナによって選局された放送信号から番組情報（ＥＰＧ）を取得する。受光部１５は、テレビ受信機１０Ａの周囲の視聴環境である明るさを検出する。
【００１９】
ジャンル情報別光量データベース１６には、番組のジャンル毎に最適な視聴環境とする光量データが登録されている。言い換えれば、その光量データは、放送側が視聴してほしい環境となるようなデータである。
【００２０】
ここで、ジャンルには、ニュース／報道、スポーツ、情報／ワイドショー、ドラマ、音楽、バラエティ、映画、アニメ／特撮、ドキュメンタリー／教養、劇場／公演、趣味／教育、福祉等があり、それぞれに最適となる視聴環境がある。
【００２１】
また、視聴する時間帯によってテレビ受信機１０Ａの周囲の視聴環境である明るさが室外の明るさによる影響で異なるため、その光量データはジャンルが同じであっても、それぞれの時間帯に適した値となっている。
【００２２】
そして、視聴している番組のジャンルと時間帯に応じた光量データに基づき、テレビ受信機１０Ａの周囲の視聴環境である明るさが自動でコントロールされることにより、室外の明るさ等による影響を加味し、放送側が視聴してほしい環境となるような視聴環境の制御が可能となる。
【００２３】
なお、視聴している時間帯の情報は、番組情報（ＥＰＧ）から取得してもよいし、テレビ受信機１０Ａの本体の内部時計から取得してもよい。
【００２４】
ＯＳＤコントローラ１７は、照明３０の明るさが自動でコントロールされるとき、後述の図３に示すようなメッセージを表示部１３にＯＳＤ（On Screen Display）表示させる。 
【００２５】
ＣＰＵ１８は、番組情報取得部１４によって取得された番組情報（ＥＰＧ）からジャンル情報を取り出し、さらに取り出したジャンル情報と視聴している時間帯とに対応する光量データをジャンル情報別光量データベース１６から読み出し、その光量データと受光部１５によって検出された光量の検出データとを比較し、最適でないと判断した場合はホームネットワーク２０を介して照明３０の明るさを自動でコントロールする。
【００２６】
また、最適かどうかは、ジャンル情報別光量データベース１６から読み出した光量データと、受光部１５によって検出された光量の検出データとに差があるかどうかで判断することができ、これらのデータに差があり最適でないと判断した場合、受光部１５からの光量の検出データが目的とする光量データに近づくように、フィードバック制御により、ホームネットワーク２０を介して照明３０の明るさが自動でコントロールされる。
【００２７】
これにより、番組のジャンルに応じて放送側が視聴してほしい環境となるように照明３０の明るさが自動でコントロールされる。
【００２８】
ネットワークＩＦ１９は、ホームネットワーク２０のネットワークＩＦ２１に接続され、ＣＰＵ１８からの制御信号を照明コントローラ２２に出力する。
【００２９】
そして、照明コントローラ２２により、ＣＰＵ１８からの制御信号に基づき、照明３０の明るさがコントロールされる。
【００３０】
次に、視聴環境制御方法について説明する。
まず、図２に示すように、番組情報取得部１４により、アンテナＩＦ１１のチューナによって選局された放送信号から番組情報（ＥＰＧ）が取得されると（ステップＳ１）、ＣＰＵ１８により、番組情報取得部１４によって取得された番組情報（ＥＰＧ）からジャンル情報が取り出され（ステップＳ２）、さらに取り出したジャンル情報に応じた目的とする光量データがジャンル情報別光量データベース１６から読み出される（ステップＳ３）。
【００３１】
ここで、ジャンル情報別光量データベース１６から読み出される光量データは、上述したように、番組情報（ＥＰＧ）あるいはテレビ受信機１０Ａの本体の内部時計から得られる、視聴している番組の時間帯に応じたデータである。
【００３２】
また、ＣＰＵ１８により、受光部１５からの現視聴環境の光量の検出データが受け取られ（ステップＳ４）、ジャンル情報や視聴している番組の時間帯に応じた目的とする光量データと検出データとが比較される（ステップＳ５）。
【００３３】
ここで、光量データと検出データとに差があり、最適でないと判断されると（ステップＳ６）、ＣＰＵ１８の制御により、ＯＳＤコントローラ１７によって図３に示すようなメッセージが表示部１３にＯＳＤ（On Screen Display）表示される（ステップＳ７，Ｓ８）。 
【００３４】
ここで、図３に示すようなメッセージは、少なくとも表示部１３の画面の一部に表示されるようになっている。また、メッセージとしては、「照明レベルの自動調整を行っています。」とした内容１３ａ、調整率の内容１３ｂ、調整レベルメータの内容１３ｃ等を表示することができる。
【００３５】
なお、ここでは、メッセージを表示させているが、メッセージに限らず、所定のマーク等の画像を現在の照明３０の調整率とともに表示させることも可能である。また、照明３０の明るさが自動でコントロールされるとき、メッセージとともに音声で、あるいは音声のみで調整中であることを知らせるようにしてもよい。
【００３６】
次いで、ＣＰＵ１８により、受光部１５からの現視聴環境の光量の検出データが目的とする光量データに近づくようにホームネットワーク２０を介して照明３０の明るさが自動でコントロールされる（ステップＳ９）。
【００３７】
すなわち、現視聴環境の光量の検出データと目的とする光量データとに差がある場合、照明３０の明るさを自動でコントロールし、再度、受光部１５からの現視聴環境の光量の検出データを受け取り（ステップＳ１０）、目的とする光量データと比較し（ステップＳ５）、受光部１５からの光量の検出データが目的とする光量データに近づくように、フィードバック制御により、漸次、照明３０の明るさが自動でコントロールされる。
【００３８】
これにより、番組のジャンル毎に、放送側が視聴してほしい環境となるような視聴環境の制御が行われ、たとえば映画を視聴しているときに、室内の照明３０が自動的に暗くされることで、臨場感に満ちた視聴が可能となる。
【００３９】
なお、（ステップＳ８）でのＯＳＤコントローラ１７によるメッセージが表示部１３にＯＳＤ（On Screen Display）表示され、（ステップＳ９）でのホームネットワーク２０を介して照明３０の明るさが自動でコントロールされ、その明るさのコントロールが完了した場合、一定時間を経てからメッセージのＯＳＤ（On
Screen Display）表示が解除されるようになっている。 
【００４０】
このように、実施形態１では、番組情報取得部１４により、放送信号から番組情報（ＥＰＧ）が取得され、ＣＰＵ１８により、番組情報（ＥＰＧ）から得られるジャンル情報に応じた光量データがジャンル情報別光量データベース１６から読み出され、受光部１５による検出データが光量データに近づくように室内の照明３０の明るさがホームネットワーク２０を介して自動でコントロールされるようにした。
【００４１】
これにより、たとえば映画を視聴しているときに、室内の照明３０が自動的に暗くされることで、臨場感に満ちた視聴が可能となり、放送側が視聴してほしい環境となるような視聴環境の制御を行うことができる。
【００４２】
また、実施形態１では、ジャンル情報別光量データベース１６に登録されている光量データが視聴している番組のジャンルと時間帯に応じたものとしているので、室外の明るさ等による影響を加味し、放送側が視聴してほしい環境となるような視聴環境の制御を行うことができる。
【００４３】
（実施形態２） 
図４は、図１のテレビ受信機の構成を変えた場合の実施形態２を示すブロック図、図５は、図４のテレビ受信機における視聴環境制御方法を説明するための図である。なお、以下に説明する図において、図１及び図２と共通する部分には同一符号を付し重複する説明を適宜行うものとする。
【００４４】
実施形態２では、図４に示すように、テレビ受信機１０Ｂにインターネット等のネットワークを介してネット上のＩＥＰＧデータベース４０に接続されるネットワークＩＦ１９Ａを設け、番組情報取得部１４がネットワークＩＦ１９Ａを介しＩＥＰＧデータベース４０から番組情報（ＩＥＰＧ）を取得するようにしている点で、実施形態１のテレビ受信機１０Ａとは構成が異なっている。
【００４５】
ここで、ＩＥＰＧとは、インターネット等のネットワークを介してテレビ番組録画の予約を行える方式の名称であり、画面に表示されたテレビ番組表のキーワード検索やジャンル別検索、タレント別検索等で、録画予約に関わる番組情報（ＩＥＰＧ）を取得することができるものである。
【００４６】
このような構成では、視聴環境制御を行う場合、図５に示すように、番組情報取得部１４により、ネットワークＩＦ１９Ａを介しＩＥＰＧデータベース４０から番組情報（ＩＥＰＧ）が取得されると（ステップＳ１−１）、上記同様に、ＣＰＵ１８により、番組情報取得部１４によって取得された番組情報（ＩＥＰＧ）からジャンル情報が取り出され（ステップＳ２）、さらに取り出したジャンル情報に応じた目的とする光量データがジャンル情報別光量データベース１６から読み出される（ステップＳ３）。
【００４７】
ここで、ジャンル情報別光量データベース１６から読み出される光量データは、上述したように、番組情報（ＩＥＰＧ）あるいはテレビ受信機１０Ｂの本体の内部時計から得られる、視聴している番組の時間帯に応じたデータである。
【００４８】
また、ＣＰＵ１８により、受光部１５からの現視聴環境の光量の検出データが受け取られ（ステップＳ４）、ジャンル情報に応じた目的とする光量データと検出データとが比較される（ステップＳ５）。
【００４９】
その後、上記同様に、（ステップＳ６）〜（ステップＳ１０）の手順によって受光部１５からの現視聴環境の光量の検出データが目的とする光量データに近づくようにホームネットワーク２０を介して照明３０の明るさが自動でコントロールされる。
【００５０】
このように、実施形態２では、番組情報取得部１４により、ネット上のＩＥＰＧデータベース４０から番組情報（ＩＥＰＧ）が取得され、ＣＰＵ１８により、番組情報（ＩＥＰＧ）から得られるジャンル情報に応じた光量データがジャンル情報別光量データベース１６から読み出され、受光部１５による検出データが光量データに近づくように室内の照明３０の明るさがホームネットワーク２０を介して自動でコントロールされるようにした。
【００５１】
これにより、ネット上のＩＥＰＧデータベース４０から番組情報（ＩＥＰＧ）が取得されるようにした場合でも、実施形態１と同様に、たとえば映画を視聴しているときに、室内の照明３０が自動的に暗くされることで、臨場感に満ちた視聴が可能となり、放送側が視聴してほしい環境となるような視聴環境の制御を行うことができる。
【００５２】
また、ジャンル情報別光量データベース１６に登録されている光量データが視聴している番組のジャンルと時間帯に応じたものとしているので、実施形態１と同様に、室外の明るさ等による影響を加味し、放送側が視聴してほしい環境となるような視聴環境の制御を行うことができる。
（実施形態３） 
図６は、図１のテレビ受信機の構成を変えた場合の実施形態３を示すブロック図、図７は、図６のテレビ受信機における視聴環境制御方法を説明するための図である。
【００５３】
実施形態３では、図６に示すように、テレビ受信機１０ＣにＨＤＤ装置１９Ｂを内蔵し、番組情報取得部１４がＨＤＤ装置１９Ｂのハードディスクに録画されている情報から番組情報（ＥＰＧ）を取得するようにしている点で、実施形態１のテレビ受信機１０Ａとは構成が異なっている。
【００５４】
このような構成では、視聴環境制御を行う場合、図７に示すように、番組情報取得部１４により、ＨＤＤ装置１９Ｂのハードディスクに録画されている情報から番組情報（ＥＰＧ）が取得されると（ステップＳ１−２）、上記同様に、ＣＰＵ１８により、番組情報取得部１４によって取得された番組情報（ＥＰＧ）からジャンル情報が取り出され（ステップＳ２）、さらに取り出したジャンル情報に応じた目的とする光量データがジャンル情報別光量データベース１６から読み出される（ステップＳ３）。
【００５５】
ここで、ジャンル情報別光量データベース１６から読み出される光量データは、上述したように、番組情報（ＥＰＧ）あるいはテレビ受信機１０Ｃの本体の内部時計から得られる、視聴している番組の時間帯に応じたデータである。
【００５６】
また、ＣＰＵ１８により、受光部１５からの現視聴環境の光量の検出データが受け取られ（ステップＳ４）、ジャンル情報に応じた目的とする光量データと検出データとが比較される（ステップＳ５）。
【００５７】
その後、上記同様に、（ステップＳ６）〜（ステップＳ１０）の手順によって受光部１５からの現視聴環境の光量の検出データが目的とする光量データに近づくようにホームネットワーク２０を介して照明３０の明るさが自動でコントロールされる。
【００５８】
このように、実施形態３では、番組情報取得部１４により、ＨＤＤ装置１９Ｂのハードディスクに録画されている情報から番組情報（ＥＰＧ）が取得され、ＣＰＵ１８により、番組情報（ＥＰＧ）から得られるジャンル情報に応じた光量データがジャンル情報別光量データベース１６から読み出され、受光部１５による検出データが光量データに近づくように室内の照明３０の明るさがホームネットワーク２０を介して自動でコントロールされるようにした。
【００５９】
これにより、ＨＤＤ装置１９Ｂのハードディスクに録画されている情報から番組情報（ＥＰＧ）が取得されるようにした場合でも、実施形態１と同様に、たとえば映画を視聴しているときに、室内の照明３０が自動的に暗くされることで、臨場感に満ちた視聴が可能となり、放送側が視聴してほしい環境となるような視聴環境の制御を行うことができる。
【００６０】
また、ジャンル情報別光量データベース１６に登録されている光量データが視聴している番組のジャンルと時間帯に応じたものとしているので、実施形態１と同様に、室外の明るさ等による影響を加味し、放送側が視聴してほしい環境となるような視聴環境の制御を行うことができる。
【００６１】
なお、実施形態３では、テレビ受信機１０ＣにＨＤＤ装置１９Ｂを内蔵した場合について説明したが、この例に限らず、ＨＤＤ装置１９Ｂは外付けであってもよい。
【００６２】
また、実施形態３では、番組情報取得部１４がＨＤＤ装置１９Ｂのハードディスクに録画されている情報から番組情報（ＥＰＧ）を取得する場合について説明したが、この例に限らず、パソコン側のハードディスクやＤＶＤ−ＲＡＭに録画されている番組をテレビ受信機１０Ｃによって視聴する場合には、パソコン側のハードディスクやＤＶＤ−ＲＡＭに録画されている情報から番組情報（ＥＰＧ）を取得するようにしてもよい。
【００６３】
また、以上の各実施形態１〜３においては、ＣＰＵ１８からの制御信号に基づき、照明３０の明るさがホームネットワーク２０を介して自動でコントロールされる場合について説明したが、照明３０の明るさが赤外線リモコン信号によってコントロールされる際には、ホームネットワーク２０を介さずに、テレビ受信機１０Ａ〜１０Ｃから直接、赤外線リモコン信号を送信して照明３０の明るさが自動でコントロールされるようにすることも可能である。この場合、テレビ受信機１０Ａ〜１０Ｃに赤外線リモコン信号を送信する送信器を設ければよい。
【００６４】
また、以上の各実施形態１〜３においては、番組のジャンル毎に照明３０の明るさが自動でコントロールされるとき、番組情報（ＥＰＧ）、番組情報（ＩＥＰＧ）あるいはテレビ受信機１０Ｃの本体の内部時計から得られる、視聴している番組の時間帯に応じた光量データがジャンル情報別光量データベース１６から読み出される場合について説明したが、その時間帯が日中であって照明３０が点灯されていない状況では光量データの読み出しを中止するような制御も可能である。
【００６５】
逆に、その時間帯が日中であって、放送側の視聴してほしい環境が「暗い」とするような番組である場合、ホームネットワーク２０を介してカーテンを自動で閉じるようにし、照明３０を点灯させ、その後、上述した（ステップＳ６）〜（ステップＳ１０）の手順によって受光部１５からの現視聴環境の光量の検出データが目的とする光量データに近づくようにホームネットワーク２０を介して照明３０の明るさが自動でコントロールされるような制御も可能である。
【００６６】
また、実施形態１〜３における各テレビ受信機１０Ａ〜１０Ｃにあっては、それぞれの番組情報取得部１４によって、放送信号からの番組情報（ＥＰＧ）、ネット上のＩＥＰＧデータベース４０からの番組情報（ＩＥＰＧ）、ＨＤＤ装置１９Ｂのハードディスクに録画されている情報からの番組情報（ＥＰＧ）のいずれかを取得する場合について説明したが、これらの番組情報（ＥＰＧ）、番組情報（ＩＥＰＧ）のいずれか又は全てを取得する機能をいずれか一台のテレビ受信機１０Ａ〜１０Ｃに組み込んでもよいことは勿論である。
【産業上の利用可能性】
【００６７】
テレビ受信機に限らず、放送信号の受信が可能なパソコンやＤＶＤプレーヤ等の再生専用機にも適用可能である。
【図面の簡単な説明】
【００６８】
【図１】本発明の視聴環境制御装置を映像表示装置であるテレビ受信機に適用した場合の実施形態１を示すブロック図である。
【図２】図１のテレビ受信機における視聴環境制御方法を説明するためのフローチャートである。
【図３】図１のテレビ受信機における視聴環境制御方法を説明するための図である。
【図４】図１のテレビ受信機の構成を変えた場合の実施形態２を示すブロック図である。
【図５】図４のテレビ受信機における視聴環境制御方法を説明するためのフローチャートである。
【図６】図１のテレビ受信機の構成を変えた場合の実施形態３を示すブロック図である。
【図７】図６のテレビ受信機における視聴環境制御方法を説明するためのフローチャートである。
【符号の説明】
【００６９】
１０Ａ〜１０Ｃ  テレビ受信機 
１１  アンテナＩＦ 
１２  映像処理部 
１３  表示部 
１４  番組情報取得部（番組情報取得手段） 
１５  受光部（明るさ検出手段） 
１６  ジャンル情報別光量データベース 
１７  ＯＳＤコントローラ 
１８  ＣＰＵ（制御手段） 
１９，１９Ａ，２１  ネットワークＩＦ 
１９Ｂ  ＨＤＤ装置 
２０  ホームネットワーク 
２２  照明コントローラ 
３０  照明 
４０  ＩＥＰＧデータベース 
【図１】
2006331735.tif 000003
【図２】
2006331735.tif 000004
【図３】
2006331735.tif 000005
【図４】
2006331735.tif 000006
【図５】
2006331735.tif 000007
【図６】
2006331735.tif 000008
【図７】
2006331735.tif 000009